(57)【要約】      （修正有）【課題】プリントした画像データを消去せずに記憶しておくプリンタにおいて、その画像データの内容を確認可能にすると共に、その画像データのセキュリティを確保する。【解決手段】携帯電話機１と、近距離通信によって携帯電話機１から受信した画像データに基づく画像をプリントする携帯型プリンタであって、記憶部２５には、携帯電話機１から受信した画像データと送信元識別情報とが記憶されている。閲覧を要求する閲覧要求情報及び該閲覧要求情報の送信元を識別する識別情報を携帯電話機から受信し、識別情報が画像データ記憶部２５に記憶されている場合に、画像データ（以下、閲覧画像データという）の内容を示す情報を携帯電話機に送信する。携帯電話機は、携帯型プリンタ２から受信した前記閲覧画像データの内容を示す情報に基づく表示を行う。【選択図】図１
2006024987.tif 000002
【特許請求の範囲】
【請求項１】
携帯端末と、近距離通信によって前記携帯端末から受信した画像データに基づく画像をプリントするプリンタとを含むプリントシステムであって、
前記プリンタは、前記携帯端末から受信した前記画像データと前記画像データの送信元を識別するための第１の識別情報とを対応付けて記憶する記憶手段と、前記記憶手段によって記憶されている画像データの閲覧を要求する閲覧要求情報及び前記閲覧要求情報の送信元を識別するための第２の識別情報を前記携帯端末から受信する第１の受信手段と、前記第２の識別情報と一致する前記第１の識別情報が前記記憶手段により記憶されている場合に、当該一致する前記第１の識別情報に対応付けて記憶されている画像データ（以下、閲覧画像データという）の内容を示す情報を前記携帯端末に送信させる制御を行う送信制御手段とを備え、
前記携帯端末は、プリント指示に応じて前記画像データ及び前記第１の識別情報を前記プリンタに送信させ、前記記憶手段によって記憶されている前記画像データの閲覧要求指示に応じて前記閲覧要求情報及び前記第２の識別情報を前記プリンタに送信させる送信制御手段と、前記プリンタから受信した前記閲覧画像データの内容を示す情報に基づく表示を行わせる制御を行う表示制御手段とを備えるプリントシステム。
【請求項２】
請求項１記載のプリントシステムであって、
前記プリンタは、前記閲覧画像データの削除を指示する削除指示情報及び前記削除指示情報の送信元を識別するための第３の識別情報を前記携帯端末から受信する第２の受信手段と、前記第３の識別情報と一致する前記第１の識別情報が前記記憶手段により記憶されている場合に、当該一致する前記第１の識別情報に対応付けて記憶されている前記閲覧画像データを前記削除指示情報にしたがって削除する閲覧画像データ削除手段とを備え、
前記携帯端末の前記送信制御手段は、前記閲覧画像データの削除指示に応じて前記削除指示情報及び前記第３の識別情報を前記プリンタに送信させるプリントシステム。
【請求項３】
請求項１又は２記載のプリントシステムであって、
前記閲覧画像データの内容を示す情報は、当該閲覧画像データのサムネイル画像データであるプリントシステム。
【請求項４】
近距離通信によって携帯端末から受信した画像データに基づく画像をプリントするプリンタであって、
前記携帯端末から受信した前記画像データと前記画像データの送信元を識別するための第１の識別情報とを対応付けて記憶する記憶手段と、
前記記憶手段によって記憶されている画像データの閲覧を要求する閲覧要求情報及び前記閲覧要求情報の送信元を識別するための第２の識別情報を前記携帯端末から受信する第１の受信手段と、
前記第２の識別情報と一致する前記第１の識別情報が前記記憶手段により記憶されている場合に、当該一致する前記第１の識別情報に対応付けて記憶されている画像データ（以下、閲覧画像データという）の内容を示す情報を前記携帯端末に送信させる制御を行う送信制御手段とを備えるプリンタ。
【請求項５】
請求項４記載のプリンタであって、
前記閲覧画像データの削除を指示する削除指示情報及び前記削除指示情報の送信元を識別するための第３の識別情報を前記携帯端末から受信する第２の受信手段と、
前記第３の識別情報と一致する前記第１の識別情報が前記記憶手段により記憶されている場合に、当該一致する前記第１の識別情報に対応付けて記憶されている前記閲覧画像データを前記削除指示情報にしたがって削除する閲覧画像データ削除手段とを備えるプリンタ。
【請求項６】
請求項４又は５記載のプリンタであって、
前記閲覧画像データの内容を示す情報は、当該閲覧画像データのサムネイル画像データであるプリンタ。
【請求項７】
近距離通信によってプリンタと通信可能な携帯端末であって、
プリント指示に応じて、プリントすべき画像データ及び前記画像データの送信元を識別するための第１の識別情報を前記プリンタに送信させ、前記プリンタによって記憶されている前記画像データの閲覧要求指示に応じて、前記画像データの閲覧を要求する閲覧要求情報及び前記閲覧要求情報の送信元を識別するための第２の識別情報を前記プリンタに送信させる送信制御手段と、
前記閲覧要求情報及び前記第２の識別情報に応じて前記プリンタから送信されてきた、前記第２の識別情報と一致する前記第１の識別情報に対応付けて前記プリンタに記憶されている画像データ（以下、閲覧画像データという）の内容を示す情報に基づく表示を行わせる制御を行う表示制御手段とを備える携帯端末。
【請求項８】
請求項７記載の携帯端末であって、
前記送信制御手段は、前記閲覧画像データの削除指示に応じて、前記閲覧画像データの削除を指示する削除指示情報及び前記削除指示情報の送信元を識別するための第３の識別情報を前記プリンタに送信させる携帯端末。
【請求項９】
請求項７又は８記載の携帯端末であって、
前記閲覧画像データの内容を示す情報は、当該閲覧画像データのサムネイル画像データである携帯端末。
【請求項１０】
コンピュータを請求項４〜６のいずれか記載の各手段として機能させるためのプリンタプログラム。
【請求項１１】
コンピュータを請求項７〜９のいずれか記載の各手段として機能させるための携帯端末プログラム。
【発明の詳細な説明】
【技術分野】
【０００１】
本発明は、携帯端末と、近距離通信によって該携帯端末から受信した画像データに基づく画像をプリントするプリンタとを含むプリントシステムに関する。
【背景技術】
【０００２】
従来、カメラ付き携帯電話機等の携帯端末から赤外線通信インターフェースを用いて送信されてきた画像データに基づく画像をインスタントフィルムにプリントする携帯型プリンタ（例えば、富士写真フイルム株式会社製チェキプリンターＮＰ−１）が知られている。このような携帯型プリンタは、携帯端末と共に持ち歩くことで、携帯端末のカメラで撮影した画像をすぐに写真にすることができ便利である。
【０００３】
上記携帯型プリンタは、携帯型プリンタ内部にフラッシュメモリ等の不揮発性メモリを有しており、最後にプリントした画像データは消去されずに携帯型プリンタ内部に保持される。そして、最後にプリントした画像データに基づく画像を再度プリントしたい場合には、携帯型プリンタの筐体に設けられたリピートボタンを押下することにより、携帯型プリンタ内部に保持されている画像データに基づく画像が再度プリントされるようになっている。
【０００４】
又、従来、プリンタ内部のデータの格納手法についての技術がいくつか提案されている（特許文献１〜３参照）。
【０００５】
【特許文献１】特開２００３−１９５６９４号公報
【特許文献２】特開平１１−２２４１７２号公報
【特許文献３】特開平３−１１４８５６号公報
【発明の開示】
【発明が解決しようとする課題】
【０００６】
上記携帯型プリンタでは、例えば、利用者が複数枚の画像をプリントしていて最後にプリントした画像がどの画像かを忘れてしまっている場合、仮に、再度プリントしたい画像データが不揮発性メモリに記憶されていたとしても、内部に保持されている画像データの内容は確認できないため、利用者は、プリントしたい画像データを携帯端末から携帯型プリンタに再度送信してプリントさせる必要があり、無駄が多い。そこで、このような無駄をなくすために、携帯型プリンタの不揮発性メモリに記憶されている画像データの内容を確認できるようにすることが望ましいが、不揮発性メモリに記憶されている画像データをその画像データの送信者以外の人間によっても見れてしまうことはプライバシーの問題上好ましくなく、不揮発性メモリに記憶されている画像データの管理に工夫が必要となる。
【０００７】
本発明は、上記事情に鑑みてなされたものであり、プリントした画像データを消去せずに記憶しておくプリンタにおいて、その画像データの内容を確認可能にすると共に、その画像データのセキュリティを確保することを目的とする。
【課題を解決するための手段】
【０００８】
本発明のプリントシステムは、携帯端末と、近距離通信によって前記携帯端末から受信した画像データに基づく画像をプリントするプリンタとを含むプリントシステムであって、前記プリンタは、前記携帯端末から受信した前記画像データと前記画像データの送信元を識別するための第１の識別情報とを対応付けて記憶する記憶手段と、前記記憶手段によって記憶されている画像データの閲覧を要求する閲覧要求情報及び前記閲覧要求情報の送信元を識別するための第２の識別情報を前記携帯端末から受信する第１の受信手段と、前記第２の識別情報と一致する前記第１の識別情報が前記記憶手段により記憶されている場合に、当該一致する前記第１の識別情報に対応付けて記憶されている画像データ（以下、閲覧画像データという）の内容を示す情報を前記携帯端末に送信させる制御を行う送信制御手段とを備え、前記携帯端末は、プリント指示に応じて前記画像データ及び前記第１の識別情報を前記プリンタに送信させ、前記記憶手段によって記憶されている前記画像データの閲覧要求指示に応じて前記閲覧要求情報及び前記第２の識別情報を前記プリンタに送信させる送信制御手段と、前記プリンタから受信した前記閲覧画像データの内容を示す情報に基づく表示を行わせる制御を行う表示制御手段とを備える。
【０００９】
この構成により、プリンタ内に記憶されている画像データの内容を確認することができるため、プリンタの使い勝手を向上させることができる。又、プリンタ内に記憶されている画像データの内容は、その画像データの送信者でなければ確認することができないため、プリンタ内の画像データのセキュリティを確保することができる。
【００１０】
又、本発明のプリントシステムは、前記プリンタが、前記閲覧画像データの削除を指示する削除指示情報及び前記削除指示情報の送信元を識別するための第３の識別情報を前記携帯端末から受信する第２の受信手段と、前記第３の識別情報と一致する前記第１の識別情報が前記記憶手段により記憶されている場合に、当該一致する前記第１の識別情報に対応付けて記憶されている前記閲覧画像データを前記削除指示情報にしたがって削除する閲覧画像データ削除手段とを備え、前記携帯端末の前記送信制御手段が、前記閲覧画像データの削除指示に応じて前記削除指示情報及び前記第３の識別情報を前記プリンタに送信させる。
【００１１】
この構成により、プリンタ内の画像データをその画像データの送信者によって削除することができるため、その画像データが他人によって利用されるのを未然に防ぐことができる。
【００１２】
本発明のプリントシステムは、前記閲覧画像データの内容を示す情報が、当該閲覧画像データのサムネイル画像データである。
【００１３】
この構成により、携帯端末とプリンタとの間の通信量を少なくすることができ、プリンタに記憶されている画像データの内容の確認を効率的に行うことができる。
【００１４】
本発明のプリンタは、近距離通信によって携帯端末から受信した画像データに基づく画像をプリントするプリンタであって、前記携帯端末から受信した前記画像データと前記画像データの送信元を識別するための第１の識別情報とを対応付けて記憶する記憶手段と、前記記憶手段によって記憶されている画像データの閲覧を要求する閲覧要求情報及び前記閲覧要求情報の送信元を識別するための第２の識別情報を前記携帯端末から受信する第１の受信手段と、前記第２の識別情報と一致する前記第１の識別情報が前記記憶手段により記憶されている場合に、当該一致する前記第１の識別情報に対応付けて記憶されている画像データ（以下、閲覧画像データという）の内容を示す情報を前記携帯端末に送信させる制御を行う送信制御手段とを備える。
【００１５】
又、本発明のプリンタは、前記閲覧画像データの削除を指示する削除指示情報及び前記削除指示情報の送信元を識別するための第３の識別情報を前記携帯端末から受信する第２の受信手段と、前記第３の識別情報と一致する前記第１の識別情報が前記記憶手段により記憶されている場合に、当該一致する前記第１の識別情報に対応付けて記憶されている前記閲覧画像データを前記削除指示情報にしたがって削除する閲覧画像データ削除手段とを備える。
【００１６】
又、本発明のプリンタは、前記閲覧画像データの内容を示す情報が当該閲覧画像データのサムネイル画像データである。
【００１７】
本発明の携帯端末は、近距離通信によってプリンタと通信可能な携帯端末であって、プリント指示に応じて、プリントすべき画像データ及び前記画像データの送信元を識別するための第１の識別情報を前記プリンタに送信させ、前記プリンタによって記憶されている前記画像データの閲覧要求指示に応じて、前記画像データの閲覧を要求する閲覧要求情報及び前記閲覧要求情報の送信元を識別するための第２の識別情報を前記プリンタに送信させる送信制御手段と、前記閲覧要求情報及び前記第２の識別情報に応じて前記プリンタから送信されてきた、前記第２の識別情報と一致する前記第１の識別情報に対応付けて前記プリンタに記憶されている画像データ（以下、閲覧画像データという）の内容を示す情報に基づく表示を行わせる制御を行う表示制御手段とを備える。
【００１８】
又、本発明の携帯端末は、前記送信制御手段が、前記閲覧画像データの削除指示に応じて、前記閲覧画像データの削除を指示する削除指示情報及び前記削除指示情報の送信元を識別するための第３の識別情報を前記プリンタに送信させる。
【００１９】
又、本発明の携帯端末は、前記閲覧画像データの内容を示す情報が当該閲覧画像データのサムネイル画像データである。
【００２０】
本発明のプリンタプログラムは、コンピュータを上記各手段として機能させるためのプログラムである。
【００２１】
本発明の携帯端末プログラムは、コンピュータを上記各手段として機能させるためのプログラムである。
【発明の効果】
【００２２】
本発明によれば、プリントした画像データを消去せずに記憶しておくプリンタにおいて、その画像データの内容を確認可能にすると共に、その画像データのセキュリティを確保することができる。
【発明を実施するための最良の形態】
【００２３】
以下、本発明の実施形態について図面を参照して説明する。
図１は、本発明の実施形態を説明するためのプリントシステムの概略構成を示す図である。
図１に示すプリントシステム１００は、携帯電話機やデジタルカメラ等の携帯端末の一例である携帯電話機１と、携帯電話機１から受信した画像データに基づく画像をインスタントフィルム等の感材にプリントする携帯型プリンタ２とを備える。携帯型プリンタ２は携帯型でなくても良い。携帯型プリンタ２は、店舗等に設置され、携帯電話機１を所持する不特定多数のユーザによって利用可能になっている。
【００２４】
携帯電話機１は、操作部１１と、制御部１２と、近距離通信部１３と、撮影部１４と、画像データ記憶部１５と、表示部１６とを備える。
【００２５】
操作部１１は、携帯電話機１の各種操作を行うためのものであり、各種キーやボタン等で構成される。操作部１１がユーザにより操作されると、その指示が制御部１２に伝達される。
【００２６】
撮影部１４は、ＣＣＤ型イメージセンサ等の固体撮像素子によって被写体を撮影して画像データを生成するものである。ここで生成された画像データは制御部１２を介して画像データ記憶部１５に記憶される。
【００２７】
画像データ記憶部１５は、撮影部１４で生成された画像データを記憶するものであり、例えば、メモリカードやＲＡＭ等の記憶媒体である。
【００２８】
表示部１６は、例えばＬＣＤ表示装置を含んで構成され、携帯電話機１の各種状態、操作に関する情報の表示等を行うものである。
【００２９】
近距離通信部１３は、携帯型プリンタ２と近距離で通信を行うための通信インターフェース（ＩＦ）であり、例えば、ブルートゥースや赤外線通信ＩＦ等の無線通信ＩＦや有線通信ＩＦ等を用いることができる。
【００３０】
制御部１２は、所定のプログラムの他、携帯型プリンタ２の管理者によってネットワーク等を介して配信される端末プログラムによって動作するプロセッサを主体に構成され、携帯電話機１全体を統括制御する。
【００３１】
携帯型プリンタ２は、操作部２１と、制御部２２と、近距離通信部２３と、印刷部２４と、画像データ記憶部２５とを備える。
【００３２】
操作部２１は、携帯型プリンタ２の各種操作を行うためのものであり、電源ボタンやリピートボタン等である。操作部２１がユーザにより操作されると、その指示が制御部２２に伝達される。
【００３３】
近距離通信部２３は、携帯電話機１と近距離で通信を行うための通信ＩＦであり、例えば、ブルートゥースや赤外線通信ＩＦ等の無線通信用ＩＦや有線通信用ＩＦ等を用いることができる。
【００３４】
印刷部２４は、制御部２２から入力された画像データに基づく画像を、インスタントフィルム等の感材にプリントするものである。
【００３５】
画像データ記憶部２５は、携帯電話機１から近距離通信部２３を介して受信した画像データを記憶しておくものであり、例えばＲＡＭ等の記憶媒体である。画像データ記憶部２５には、少なくとも１つの画像データを記憶しておくことが可能となっている。画像データ記憶部２５に記憶された画像データのうち、印刷部２４によって最後にプリントされた画像データについては、例えばそのヘッダにフラグが立てられる。そして、リピートボタンが押下された場合には、このフラグが立てられている画像データに基づく画像がプリントされるようになっている。
【００３６】
制御部２２は、所定のプリンタプログラムによって動作するプロセッサを主体に構成され、携帯型プリンタ２全体を統括制御する。
【００３７】
携帯型プリンタ２の構成は、公知の携帯型プリンタとほぼ同じであり、制御部２２が実行するプログラムが異なるのみである。
【００３８】
次に、プリンタシステムの動作について説明する。
図２は、携帯電話機１に記憶されている画像データに基づく画像を携帯型プリンタ２でプリントさせる場合の動作シーケンスを示す図である。
携帯型プリンタ２を起動させた状態で、携帯電話機１のユーザが端末プログラムを起動させ、操作部１１を操作して画像データＡに基づく画像のプリント指示を行うと、その指示を受けた制御部１２は、画像データ記憶部１５から画像データＡを読出し、画像データＡと画像データＡの送信元を識別するための第１の識別情報（例えば、携帯電話機１の電話番号）とを、近距離通信部１３を介して携帯型プリンタ２に送信させる（Ｓ２１）。
【００３９】
携帯型プリンタ２の制御部２２は、近距離通信部２３を介して携帯電話機１から画像データＡと第１の識別情報とを受信し（Ｓ２２）、受信した画像データＡと第１の識別情報とを対応付けて画像データ記憶部２５に記憶する（Ｓ２３）。更に、制御部２２は、画像データＡを印刷部２４に送って印刷指示を出し、印刷部２４によって画像データＡに基づく画像がインスタントフィルムにプリントされる（Ｓ２４）。プリント後、制御部２２は、画像データ記憶部２５に記憶されている画像データＡのヘッダにフラグをたてる（Ｓ２５）。
【００４０】
携帯電話機１から別の画像データ及び第１の識別情報が送信されてきた場合、制御部２２は、画像データ記憶部２５に記憶されている画像データＡ及び第１の識別情報を上書きして、別の画像データ及び第１の識別情報を記憶しても良いし、画像データＡ及び第１の識別情報を残したまま、別の画像データ及び第１の識別情報を記憶しても良い。これは画像データ記憶部２５のメモリ容量によって自由に設定可能である。但し、画像データＡ及び第１の識別情報を残しておく場合、制御部２２は、別の画像データに基づく画像がプリントされた後に画像データＡのヘッダのフラグを消去し、プリントした画像データのヘッダにフラグを立てる処理を行う。
【００４１】
図３は、ユーザが携帯型プリンタ２の画像データ記憶部２５に記憶されている画像データの内容を確認したいときの動作シーケンスを示す図である。
携帯型プリンタ２を起動させた状態で、携帯電話機１のユーザが端末プログラムを起動させ、操作部１１を操作して携帯型プリンタ２の画像データ記憶部２５に記憶されている画像データの閲覧要求指示を行うと、その指示に応じて制御部１２は、画像データの閲覧を要求する閲覧要求情報と閲覧要求情報の送信元を識別するための第２の識別情報（例えば、携帯電話機１の電話番号）とを、近距離通信部１３を介して携帯型プリンタ２に送信させる（Ｓ３１）。
【００４２】
携帯型プリンタ２の制御部２２は、近距離通信部２３を介して携帯電話機１から閲覧要求情報と第２の識別情報とを受信し（Ｓ３２）、受信した第２の識別情報と一致する第１の識別情報があるか否かを判定する（Ｓ３３）。画像データ記憶部２５に第２の識別情報と一致する第１の識別情報がなかった場合（Ｓ３３：ＮＯ）、つまり、携帯電話機１のユーザによって過去にプリントされた画像データが画像データ記憶部２５に記憶されていなかった場合、制御部２２は、閲覧要求を拒否する旨のメッセージデータを近距離通信部２３を介して携帯電話機１に送信させる（Ｓ３４）。このメッセージデータを受信した携帯電話機１では、例えば表示部１６に、「あなたのプリントした画像は保存されていません」といったメッセージが表示される。
【００４３】
一方、画像データ記憶部２５に第２の識別情報と一致する第１の識別情報があった場合（Ｓ３３：ＹＥＳ）、つまり、携帯電話機１のユーザによって過去にプリントされた画像データが画像データ記憶部２５に記憶されていた場合、制御部２２は、その一致した第１の識別情報に対応付けて記憶されている画像データＡを画像データ記憶部２５から読出して、読み出した画像データのサムネイル画像データを生成し（Ｓ３５）、生成したサムネイル画像データを近距離通信部２３を介して携帯電話機１に送信させる（Ｓ３６）。尚、画像データＡがＥＸＩＦフォーマットで管理されている場合、制御部２２は、サムネイル画像データを生成する必要はなく、画像データＡのＥＸＩＦタグに記憶されているサムネイル画像データを読み出せば良い。
【００４４】
携帯電話機１の制御部１２は、近距離通信部１３を介してサムネイル画像データを受信し（Ｓ３７）、受信したサムネイル画像データに基づくサムネイル画像を表示部１６に表示させる制御を行う（Ｓ３８）。これにより、携帯電話機１のユーザは、自身によって過去にプリントした画像データＡが携帯型プリンタ２の画像データ記憶部２５に記憶されていた場合には、その画像データＡの内容を表示部１６上で確認することが可能になる。
【００４５】
画像データ記憶部２５に、携帯電話機１の電話番号に対応付けて記憶されている画像データが複数あった場合、制御部２２は、図３のＳ３５において、複数の画像データの各々のサムネイル画像データを生成し、Ｓ３６において複数のサムネイル画像データを携帯電話機１に送信する。そして、携帯電話機１の制御部１２は、Ｓ３８において、携帯型プリンタ２から受信した複数のサムネイル画像データに基づく複数のサムネイル画像の一覧を表示部１６に表示させる。これにより、ユーザ自身のプリントした画像データが携帯型プリンタ２の画像データ記憶部２５に複数記憶されている場合でも、その複数の画像データの内容の確認を容易に行うことができる。
尚、複数のサムネイル画像の原画像データの中に、リピートボタンを押下したときにプリントされる画像データが含まれている場合には、その画像データに基づく画像のサムネイル画像に、その旨が分かるようなマークを表示させても良い。こうすることで、リピートボタンを押下したときに、どの画像データに基づく画像がプリントされるのかを確認することができる。
【００４６】
又、携帯型プリンタ２の画像データ記憶部２５に複数の画像データが記憶されている場合、リピートボタンを押下しても携帯型プリンタ２においては最後にプリントした画像データに基づく画像しかプリントすることはできない。そこで、この場合には、携帯電話機１側の端末プログラムによって、プリントしたい画像データを指定できるようにすることが望ましい。
例えば、携帯電話機１のユーザは、表示部１６に表示されている複数のサムネイル画像の中からプリントしたいものを１つ選択して、プリント決定指示を行う。この指示に応じて制御部１２は、ユーザにより選択されたサムネイル画像の原画像データのプリント指示情報を近距離通信部１３を介して携帯型プリンタ２に送信させる。携帯型プリンタ２の制御部２２は、近距離通信部２３を介してプリント指示情報を受信し、このプリント指示情報にしたがって、ユーザにより指定されたサムネイル画像の原画像データを画像データ記憶部２５から読出し、印刷部２４にプリント指示を行う。そして、ユーザにより選択されたサムネイル画像の原画像が印刷部２４によってプリントされる。このようにすることで、過去にプリントした画像データのうち画像データ記憶部２５に記憶されているものであれば、どの画像データでも簡単な操作で繰り返しプリントすることができ、使い勝手が良い。
【００４７】
図４は、携帯電話機１のユーザが携帯型プリンタ２の画像データ記憶部２５に記憶されている画像データを削除する場合の動作シーケンスを示す図である。
携帯電話機１のユーザは、端末プログラムを起動させた後、操作部１１を操作し、画像データ記憶部２５に記憶されている画像データのうち、自身によって過去にプリントした画像データの削除指示を行う。この指示に応じて制御部１２は、携帯型プリンタ２に画像データの削除指示を行うための削除指示情報と、削除指示情報の送信元を識別するための第３の識別情報（例えば携帯電話機１の電話番号）とを近距離通信部１３を介して携帯型プリンタ２に送信させる（Ｓ４１）。携帯型プリンタ２の制御部２２は、近距離通信部２３を介して削除指示情報及び第３の識別情報を受信し（Ｓ４２）、受信した第３の識別情報と一致する第１の識別情報があるか否かを判定する（Ｓ４３）。
【００４８】
一致する第１の識別情報がなかった場合（Ｓ４３：ＮＯ）、制御部２２は、携帯型プリンタ２内部には携帯電話機１のユーザによってプリントされた画像データは残っていない旨を示すメッセージデータを、近距離通信部２３を介して携帯電話機１に送信させる（Ｓ４４）。一方、一致する第１の識別情報があった場合（Ｓ４３：ＹＥＳ）、制御部２２は、一致した第１の識別情報と、その第１の識別情報に対応付けて記憶されている画像データとを画像データ記憶部２５から削除する（Ｓ４５）。
【００４９】
このように、携帯電話機１のユーザによって過去に携帯型プリンタ２に送信された画像データが携帯型プリンタ２の画像データ記憶部２５に記憶されている場合には、携帯電話機１からの削除指示により、その記憶されている画像データを削除することができる。このため、携帯電話機１のユーザ以外の他人がリピートボタンを押下した場合に、携帯電話機１のユーザによって撮影された画像がプリントされてしまうようなことを防ぐことができ、多くの人が安心して携帯型プリンタ２を利用することができるようになる。
【００５０】
尚、図４では、画像データ記憶部２５に記憶されている画像データのうち、携帯電話機１のユーザが過去に利用した画像データの全てを削除しているが、全てではなく一部のみを削除できるようにしても良い。この場合、携帯電話機１のユーザは、図３のＳ３８で表示部１６に表示された画像データの中から削除したい画像データＡのサムネイル画像を選択し、画像データＡの削除指示を行う。この指示に応じて制御部１２は、携帯型プリンタ２に画像データＡの削除指示を行うための削除指示情報と第３の識別情報とを近距離通信部１３を介して携帯型プリンタ２に送信させる。携帯型プリンタ２の制御部２２は、近距離通信部２３を介して削除指示情報及び第３の識別情報を受信し、受信した第３の識別情報と画像データＡに対応付けられている第１の識別情報とが一致した場合に、削除指示情報にしたがって、画像データＡと、それに対応付けられている第１の識別情報とを削除する。
【００５１】
以上のように、プリントシステム１００によれば、携帯型プリンタ２の画像データ記憶部２５に記憶されている画像データに基づく画像のサムネイル画像を、その画像データの送信元である携帯電話機１においてのみ確認することができる。このため、携帯型プリンタ２の画像データ記憶部２５に記憶されている画像データの内容が、その画像データの送信者以外の人によって確認されることはなく、画像データのセキュリティを確保することができる。又、携帯型プリンタ２の画像データ記憶部２５に記憶されている画像データの内容を確認できることにより、携帯型プリンタ２の使い勝手を向上させることができる。
【００５２】
又、プリントシステム１００によれば、携帯型プリンタ２の画像データ記憶部２５に記憶されている画像データを、その画像データの送信元である携帯電話機１によって削除することができる。このため、自分の画像が他人に見られてしまうのを防ぐことができ、安心して携帯型プリンタを利用することができる。
【００５３】
尚、上記では、携帯型プリンタ２の画像データ記憶部２５に記憶されている画像データの内容を示す情報の一例として、その画像データのサムネイル画像データを用いているが、これは画像データの内容を確認できる情報であれば何でも良く、例えば、画像データそのものや、画像データの内容（画像サイズ、タイトル、撮影日時、撮影場所等）を示したテキストデータ等であっても良い。上記のように、サムネイル画像データを携帯電話機１に送信する構成によれば、携帯型プリンタ２と携帯電話機１との間でなされる通信量を少なくすることができる。このため、携帯電話機１のユーザは、携帯型プリンタ２内部に記憶されている画像データの内容を素早く確認することができ、効果的である。
【図面の簡単な説明】
【００５４】
【図１】本発明の実施形態を説明するためのプリントシステムの概略構成を示す図
【図２】本発明の実施形態を説明するためのプリントシステムの動作シーケンスを示す図
【図３】本発明の実施形態を説明するためのプリントシステムの動作シーケンスを示す図
【図４】本発明の実施形態を説明するためのプリントシステムの動作シーケンスを示す図
【符号の説明】
【００５５】
１００  プリントシステム
１  携帯電話機
２  携帯型プリンタ
１１、２１  操作部
１２、２２  制御部
１３、２３  近距離通信部
１４  撮影部
１５、２５  画像データ記憶部
１６  表示部
２４  印刷部
【図１】
2006024987.tif 000003
【図２】
2006024987.tif 000004
【図３】
2006024987.tif 000005
【図４】
2006024987.tif 000006